(57)【要約】【課題】導光部が発する光の色相がグラデーション状に変化する装飾性の高い照明装置を提供する。【解決手段】照明装置（１，１’）は、光源部（２）と、平均粒径が光源部からの入射光の波長よりも小さくかつ入射光を散乱させる微小粒子を透光性材料中に一様に分散させて構成され、入射光を透過させる導光部（３）と、導光部の光源部に面する側において中央部（３１）よりも周辺部（３２）の方が短い波長の光が入射するように、入射光の波長の空間分布を形成する波長選択部（４，２Ｂ）とを有する。【選択図】図１
2018141840.tif 000002
【特許請求の範囲】
【請求項１】
光源部と、
平均粒径が前記光源部からの入射光の波長よりも小さくかつ前記入射光を散乱させる微小粒子を透光性材料中に一様に分散させて構成され、前記入射光を透過させる導光部と、
前記導光部の前記光源部に面する側において中央部よりも周辺部の方が短い波長の光が入射するように、前記入射光の波長の空間分布を形成する波長選択部と、
を有することを特徴とする照明装置。
【請求項２】
前記光源部は、白色光を出射する白色光源であり、
前記波長選択部は、前記光源部と前記導光部の間に配置され、中央に開口部を有するカラーフィルタであり、前記開口部では前記白色光源からの白色光を白色光のまま透過させ、前記開口部以外の部分では、前記白色光に含まれる特定の波長の単色光を透過させる、請求項１に記載の照明装置。
【請求項３】
使用者の操作を受け付ける操作部をさらに有し、
前記カラーフィルタは、中央に前記開口部を形成するように配置された複数の羽根部で構成され、
前記複数の羽根部は、使用者による前記操作部の操作に応じて互いに相対移動して前記開口部の大きさを変更可能である、請求項２に記載の照明装置。
【請求項４】
前記カラーフィルタは、中央に前記開口部を形成するように配置されかつ互いに相対移動可能な複数の羽根部で構成され、
計時部が計時する時刻に応じて前記複数の羽根部の位置を移動させて前記開口部の大きさを変更する制御部をさらに有する、請求項２に記載の照明装置。
【請求項５】
前記光源部は、白色光を出射する白色光源であり、
前記波長選択部は、前記光源部と前記導光部とを結ぶ軸を中心として前記白色光源の周囲を取り囲むように配置されかつ単色光を出射する単色光源である、請求項１に記載の照明装置。
【請求項６】
前記光源部は、前記導光部に対向する面内に配置された複数の白色光源および複数の単色光源で構成され、
前記波長選択部は、前記複数の単色光源のうちの少なくとも一部と、前記複数の白色光源のうちで前記少なくとも一部の単色光源よりも前記対向する面内の中央側に配置された白色光源とを選択的に発光させる制御部である、請求項１に記載の照明装置。
【請求項７】
前記複数の白色光源と前記複数の単色光源とは、前記光源部と前記導光部とを結ぶ軸を中心として同心円状に配置されている、請求項６に記載の照明装置。
【請求項８】
使用者の操作を受け付ける操作部をさらに有し、
前記制御部は、前記複数の白色光源および前記複数の単色光源のうちで発光させるものの位置および個数を、使用者による前記操作部の操作に応じて変化させる、請求項６または７に記載の照明装置。
【請求項９】
前記制御部は、前記複数の白色光源および前記複数の単色光源のうちで発光させるものの位置および個数を、計時部が計時する時刻に応じて変化させる、請求項６または７に記載の照明装置。
【発明の詳細な説明】
【技術分野】
【０００１】
本発明は、照明装置に関する。
【背景技術】
【０００２】
特許文献１には、粒径が０．１ミクロン以上５０ミクロン以下である粒状体を含有するガラス体を備え、ガラス体の側面から入射した光を粒状体によりレイリー散乱し、ガラス体の主面から面状の光を放出する光散乱部材が記載されている。
【０００３】
特許文献２には、半透明のシェードと光源との間に、シェードの面と非並行に光透過性部材が配設されているグラデーション陰影付き照明装置が記載されている。
【先行技術文献】
【特許文献】
【０００４】
【特許文献１】特開２０１１−０９９８９９号公報
【特許文献２】特開２０００−１４９６３０号公報
【発明の概要】
【発明が解決しようとする課題】
【０００５】
本発明は、導光部が発する光の色相がグラデーション状に変化する装飾性の高い照明装置を提供することを目的とする。
【課題を解決するための手段】
【０００６】
光源部と、平均粒径が光源部からの入射光の波長よりも小さくかつ入射光を散乱させる微小粒子を透光性材料中に一様に分散させて構成され、入射光を透過させる導光部と、導光部の光源部に面する側において中央部よりも周辺部の方が短い波長の光が入射するように、入射光の波長の空間分布を形成する波長選択部とを有することを特徴とする照明装置が提供される。
【０００７】
上記の照明装置では、光源部は、白色光を出射する白色光源であり、波長選択部は、光源部と導光部の間に配置され、中央に開口部を有するカラーフィルタであり、開口部では白色光源からの白色光を白色光のまま透過させ、開口部以外の部分では、白色光に含まれる特定の波長の単色光を透過させることが好ましい。
【０００８】
上記の照明装置は、使用者の操作を受け付ける操作部をさらに有し、カラーフィルタは、中央に開口部を形成するように配置された複数の羽根部で構成され、複数の羽根部は、使用者による操作部の操作に応じて互いに相対移動して開口部の大きさを変更可能であることが好ましい。
【０００９】
上記の照明装置では、カラーフィルタは、中央に開口部を形成するように配置されかつ互いに相対移動可能な複数の羽根部で構成され、計時部が計時する時刻に応じて複数の羽根部の位置を移動させて開口部の大きさを変更する制御部をさらに有することが好ましい。
【００１０】
上記の照明装置では、光源部は、白色光を出射する白色光源であり、波長選択部は、光源部と導光部とを結ぶ軸を中心として白色光源の周囲を取り囲むように配置されかつ単色光を出射する単色光源であることが好ましい。
【００１１】
上記の照明装置では、光源部は、導光部に対向する面内に配置された複数の白色光源および複数の単色光源で構成され、波長選択部は、複数の単色光源のうちの少なくとも一部と、複数の白色光源のうちで少なくとも一部の単色光源よりも対向する面内の中央側に配置された白色光源とを選択的に発光させる制御部であることが好ましい。
【００１２】
上記の照明装置では、複数の白色光源と複数の単色光源とは、光源部と導光部とを結ぶ軸を中心として同心円状に配置されていることが好ましい。
【００１３】
上記の照明装置は、使用者の操作を受け付ける操作部をさらに有し、制御部は、複数の白色光源および複数の単色光源のうちで発光させるものの位置および個数を、使用者による操作部の操作に応じて変化させることが好ましい。
【００１４】
上記の照明装置では、制御部は、複数の白色光源および複数の単色光源のうちで発光させるものの位置および個数を、計時部が計時する時刻に応じて変化させることが好ましい。
【発明の効果】
【００１５】
上記の照明装置によれば、導光部が発する光の色相がグラデーション状に変化し、装飾性が高くなる。
【図面の簡単な説明】
【００１６】
【図１】照明装置１の概略構成図である。
【図２】カラーフィルタ４の働きを説明する図である。
【図３】カラーフィルタ４に応じた照明装置１の色相の変化を説明する図である。
【図４】別の照明装置１’の概略構成図である。
【図５】照明装置１’の光源２’の平面図である。
【図６】別の光源２’’の平面図である。
【図７】光源２’’を有するさらに別の照明装置１’’のブロック図である。
【図８】時刻に応じた照明装置１’’の発光制御を説明するための表である。
【図９】さらに別の光源２’’’の平面図である。
【図１０】可動式のカラーフィルタ４’，４’’の例を示す図である。
【発明を実施するための形態】
【００１７】
以下、図面を参照しつつ、照明装置について説明する。ただし、本発明は図面または以下に記載される実施形態には限定されないことを理解されたい。
【００１８】
図１は、照明装置１の概略構成図である。照明装置１は、白色光源２、導光部３およびカラーフィルタ４を有する。照明装置１は、レイリー散乱を利用することで、空を模したように導光部３の光の色相が青色からオレンジ色へとグラデーション状に変化する照明装置である。
【００１９】
レイリー散乱は、光の波長よりも小さな物体に光が当たった際に起こる散乱であり、その散乱強度は光の波長に依存し、波長が短いほど大きく、波長が長いほど小さい。すなわち、レイリー散乱では、可視光のうちで、短波長の青色光は散乱され易く、長波長の赤色光は散乱されにくい。このため、可視光のすべての波長の光が均等に混ざった白色光を散乱体に入射させると、その散乱体の入射側の部分は青色に見え、入射側から遠い部分は赤色に見える。照明装置１では、この原理を利用してグラデーション状の色相を実現する。
【００２０】
白色光源２は、光源部の一例であり、例えばＬＥＤ（発光ダイオード）で構成され、白色光を出射する。
【００２１】
導光部３は、図１に示すように、白色光源２からの光が入射し、その光を透過させる球状の部材である。導光部３は、平均粒径が白色光源２からの入射光の波長よりも小さくかつその入射光を散乱させる微小粒子を透光性材料中に一様に分散させた散乱体で構成される。例えば、導光部３は、透明なガラスまたは樹脂で構成された中空の球体であり、その内部には、散乱体として、アクリルエマルジョンなどの流体が封入されている。導光部３を構成する透光性材料は、水などの液体でもよいし、樹脂などの固体でもよい。また、導光部３は球体のものに限らず、例えば箱型などの他の形状であってもよい。
【００２２】
可視光の波長は数百ｎｍであるため、レイリー散乱が起こるためには、導光部（散乱体）３内の微小粒子は、平均粒径が数十ｎｍ程度のナノ粒子であることが好ましい。この粒径は、対象の粒子と同じ回折・散乱光のパターンを示す球体の直径として（すなわち、球相当径で）測定された値である。微小粒子の材質は、金属や、その酸化物、または樹脂などでもよく、特に限定されない。
【００２３】
カラーフィルタ４は、波長選択部の一例であり、白色光源２と導光部３の間に配置され、中央に円形の開口部４１を有する。図１に示すように、開口部４１の中心は、白色光源２と導光部３の中心同士を結ぶ中心軸Ｌの位置と一致している。カラーフィルタ４は、可視光のうちで青色光を透過させる青色のフィルタであり、開口部４１では白色光源２からの白色光を白色光のまま透過させ、開口部４１以外の周辺部分では、白色光に含まれる特定の波長の単色光を透過させる。すなわち、照明装置１では、カラーフィルタ４により、白色光と単色光（青色光）の両方を導光部３内に入射させ、その白色光と単色光の割合を入射位置に応じて変化させる。カラーフィルタの色は特に限定されないが、可視光のうちで、レイリー散乱により散乱され易い短波長側の色であることが好ましい。
【００２４】
なお、カラーフィルタ４の光透過性の着色層を、透明ガラス板または透明樹脂基板上に着色した透明塗料を用いて、開口部４１を有するパターンで形成してもよい。
【００２５】
図２は、カラーフィルタ４の働きを説明する図である。図１では導光部３の下側に白色光源２とカラーフィルタ４が図示されているため、図２では、照明装置１における白色光源２から導光部３の下端までの部分を側方から見た図を示している。カラーフィルタ４が中央に円形の開口部４１を有することにより、導光部３の入射側（白色光源２に面する下端側）における円形の中央部３１には、白色光源２からの白色光がそのまま入射する。また、導光部３の入射側において中央部３１を取り囲む周辺部３２には、カラーフィルタ４を透過した青色光が入射する。このように、カラーフィルタ４は、導光部３の中央部３１よりも周辺部３２の方が短波長の光が入射するように、入射光の波長の空間分布（中心軸Ｌを中心とする対称な分布）を形成する。
【００２６】
照明装置１では、可視光の波長よりも平均粒径が小さい微小粒子が分散した導光部３においてレイリー散乱が起こることにより、短波長の光ほど強く散乱される。このため、白色光源２から導光部３に白色光を入射させることで、導光部３内では、白色光源２からの距離に応じて、白色からオレンジ色（長波長側の色）へと光の色相がグラデーション状に変化する。図１では、このグラデーション状の色相を、導光部３内の模様の濃淡で表している。レイリー散乱を利用することで、光の波長ごとに導光部３の透過性を変化させることができ、明確に色相が変化する照明装置を実現することができる。
【００２７】
さらに、照明装置１では、開口部４１を有するカラーフィルタ４を用いて導光部３の入射面内の周辺部３２に青色光を入射させることで、導光部３の入射側の周辺部３２付近では、青色が強くなる。これにより、導光部３全体で見れば、青色（短波長側の色）からオレンジ色へと光の色相がグラデーション状に変化しているので、夕方の空を模したような色合いを表現でき、装飾性が高い照明装置を実現することができる。カラーフィルタ４の色を適宜選択すれば、任意の色からより長波長側の色へと色相をグラデーション状に変化させることも可能である。
【００２８】
図３（Ａ）〜図３（Ｃ）は、カラーフィルタ４に応じた照明装置１の色相の変化を説明する図である。これらの図は、上記のカラーフィルタ４として、開口部４１の大きさが互いに異なるカラーフィルタ４Ａ〜４Ｃを用いたときの導光部３の色相の違いを模様の濃淡で示している。カラーフィルタ４Ａ〜４Ｃは、この順に開口部４１の径が大きくなる。開口部４１が小さいカラーフィルタ４Ａを用いた場合（図３（Ａ））には、開口部４１の大きさが中程度のカラーフィルタ４Ｂを用いた場合（図３（Ｂ））と比べて、導光部３に入射する白色光に対する青色光の割合が多くなるため、導光部３は、より青味がかった色相になる。一方、開口部４１が大きいカラーフィルタ４Ｃを用いた場合（図３（Ｃ））には、カラーフィルタ４Ｂを用いた場合（図３（Ｂ））と比べて、導光部３に入射する白色光に対する青色光の割合が少なくなるため、導光部３は、より赤味がかった色相になる。
【００２９】
このように、カラーフィルタ４の開口部４１の大きさに応じて、導光部３に入射する白色光と単色光の割合が変化する。このため、例えば、カメラのシャッタまたは絞りと同様の機構によりカラーフィルタ４の開口部４１を可動式とし、開口部４１の大きさを使用者の操作により変更できるようにしてもよい。これにより、白色光に対する単色光の割合を使用者が変更できるため、照明装置１の色相自体も使用者が自在に変化させることができる。
【００３０】
図１０（Ａ）および図１０（Ｂ）は、可動式のカラーフィルタ４’，４’’の例を示す図である。図１０（Ａ）のカラーフィルタ４’は、中央に正６角形の開口部４１を形成するように配置された６枚の羽根部４２’で構成される。図１０（Ｂ）のカラーフィルタ４’’は、中央に略楕円形の開口部４１を形成するように配置された２枚の羽根部４２’’で構成される。羽根部４２’，４２’’は、図中に細い矢印で示した方向にそれぞれ移動可能であり、このように互いに相対移動することにより、開口部４１の大きさを変更可能である。カラーフィルタ４’，４’’を使用する場合には、例えば、図示しない調整用のつまみまたはボタンなどの操作部を照明装置１に設けておき、使用者によるその操作部の操作に応じて羽根部４２’，４２’’を移動させて開口部４１の大きさを拡大縮小できるようにするとよい。
【００３１】
また、カラーフィルタ４’，４’’を使用する場合には、時刻に応じて開口部４１の大きさを拡大縮小できるようにしてもよい。図示しないが、この場合には、例えば、一般的な時計に設けられている計時用の時計モジュール（計時部）と、時刻に応じて羽根部４２’，４２’’を移動させるためのマイクロコンピュータなどの制御回路（制御部）とが照明装置１に設けられる。制御回路は、時計モジュールが計時する時刻に応じて、図１０（Ａ）および図１０（Ｂ）に細い矢印で示した方向に羽根部４２’，４２’’の位置を移動させる。
【００３２】
例えば、時刻が日中の時間帯に含まれるときには、制御回路は、開口部４１を縮小する方向に羽根部４２’，４２’’を移動させて、開口部４１以外のカラーフィルタ４’，４’’の面積を大きくしたままにする。これにより、日中は、導光部３に入射する白色光に対する青色光の割合が多くなる。また、時刻が夕方の時間帯に含まれるときには、制御回路は、時間経過とともに開口部４１を徐々に拡大する方向に羽根部４２’，４２’’を移動させて、開口部４１以外のカラーフィルタ４’，４’’の面積を徐々に小さくする。これにより、夕方は、導光部３に入射する白色光に対する青色光の割合が徐々に少なくなる。このようにすれば、空が時刻に応じて移り変わる様子を照明装置１により模して再現することができる。
【００３３】
上述した照明装置１では、白色光源２から導光部３に白色光を入射させ、導光部３内では、白色光源２からの距離に応じて、白色からオレンジ色（長波長側の色）へと光の色相をグラデーション状に変化させるとともに、開口部４１を有するカラーフィルタ４を用いて、導光部３の入射面内の周辺部３２に青色光（単色光）を入射させる。このため、照明装置１では、一つの白色光源２を用いる簡便な構造により、導光部３全体で見れば、青色（短波長側の色）からオレンジ色へと光の色相がグラデーション状に変化し、夕方の空を模したような色合いを表現することができる。
【００３４】
図４は、別の照明装置１’の概略構成図である。照明装置１’では、照明装置１のカラーフィルタ４が省略され、白色光源２が光源２’に変更されている。照明装置１’の導光部３は、照明装置１のものと同じである。
【００３５】
図５は、照明装置１’の光源２’の平面図である。光源２’は、複数の白色ＬＥＤなどの白色光源２と、複数の青色ＬＥＤなどの単色光源２Ｂとで構成される。白色光源２は、照明装置１のものと同様に白色光を出射する。単色光源２Ｂは、光源２’と導光部３とを結ぶ図４の中心軸Ｌを中心として、白色光源２の周囲を取り囲むように配置されている。照明装置１’では、白色光源２が光源部に、単色光源２Ｂが波長選択部に、それぞれ対応する。
【００３６】
照明装置１’のように、導光部３に入射する白色光と単色光の割合を変化させる手段として、カラーフィルタ４などの代わりに、白色光源２と単色光源２Ｂとが配列した光源２’を用いてもよい。単色光源２Ｂを白色光源２の外周側に配置することにより、照明装置１と同様に、導光部３の入射側における周辺部３２に短波長側の光を入射させることができ、光の色相を青色からオレンジ色へとグラデーション状に変化させることができる。
【００３７】
図６は、別の光源２’’の平面図である。図４の照明装置１’のようにカラーフィルタが省略された照明装置では、光源２’に代えて図６の光源２’’を使用してもよい。光源２’’は、図５の光源２’と同様に、複数の白色ＬＥＤなどの白色光源２ａ〜２ｃと、複数の青色ＬＥＤなどの単色光源２Ｂａ〜２Ｂｃとで構成される。ただし、光源２’’では、白色光源２ａ〜２ｃと単色光源２Ｂａ〜２Ｂｃとは、導光部３に対向する面内において交互に同心円状に配置されており、単色光源よりも外周側にも白色光源が配置されている点が光源２’とは異なっている。光源２’’では、図４の中心軸Ｌに相当する中心位置に１個の白色光源２ｃが配置されており、そこを中心として、図６に破線で示した５個の円周上に、中央から外周側に向かって、複数の単色光源２Ｂｃ、白色光源２ｂ、単色光源２Ｂｂ、白色光源２ａおよび単色光源２Ｂａがこの順に配置されている。
【００３８】
図７は、光源２’’を有するさらに別の照明装置１’’のブロック図である。照明装置１’’は、図４の照明装置１’と同様にカラーフィルタが省略された照明装置であり、光源２’’、導光部３、制御部５、操作部６および計時部７を有する。このうち、光源２’’は図６に示したものと同じであり、導光部３は図１および図４に示したものと同じである。
【００３９】
制御部５は、例えばマイクロコンピュータにより構成された制御回路であり、使用者による操作部６の操作または計時部７が計時する時刻に応じて、光源２’’の白色光源２ａ〜２ｃおよび単色光源２Ｂａ〜２Ｂｃを選択的に発光させる。操作部６は、例えば、使用者が操作するつまみまたはボタンなどに相当し、導光部３の色相を調整するために用いられる。計時部７は、例えば、一般的な時計に設けられている計時用の時計モジュールと同じものである。ただし、計時部７は、独立した時計モジュールに限らず、制御部５に内蔵されたものであってもよい。照明装置１’’では、光源２’’（白色光源２ａ〜２ｃおよび単色光源２Ｂａ〜２Ｂｃ）が光源部に、制御部５が波長選択部に、それぞれ対応する。
【００４０】
制御部５は、単色光源２Ｂａ〜２Ｂｃのうちの少なくともいずれかを発光させるとともに、白色光源２ａ〜２ｃのうちで、発光する単色光源よりも中央側に配置された白色光源を発光させる。光源２’’を使用する照明装置１’’では、白色光源２ａ〜２ｃと単色光源２Ｂａ〜２Ｂｃがそれぞれ３重に配置されているため、以下で説明するように、操作部６の操作により導光部３の色相を３段階に調整可能である。
【００４１】
例えば、使用者が色相を１段階目に設定したときには、制御部５は、すべての単色光源２Ｂａ〜２Ｂｃと、中央の白色光源２ｃとを発光させる。これは、照明装置１で開口部４１が小さいカラーフィルタ４Ａを用いた図３（Ａ）の場合に相当し、このとき導光部３は青味が強い色相になる。また、使用者が色相を２段階目に設定したときには、制御部５は、外周側の単色光源２Ｂａ，２Ｂｂと、それよりも中央側に配置されている白色光源２ｂ，２ｃとを発光させる。これは、照明装置１で開口部４１が中程度のカラーフィルタ４Ｂを用いた図３（Ｂ）の場合に相当する。また、使用者が色相を３段階目に設定したときには、制御部５は、最外周の単色光源２Ｂａと、それよりも中央側に配置されているすべての白色光源２ａ〜２ｃとを発光させる。これは、照明装置１で開口部４１が大きいカラーフィルタ４Ｃを用いた図３（Ｃ）の場合に相当し、このとき導光部３は赤味が強い色相になる。
【００４２】
このように、照明装置１’’では、制御部５により、白色光源２ａ〜２ｃおよび単色光源２Ｂａ〜２Ｂｃのうちで発光させるものの位置および個数を、使用者の操作に応じて変化させる。光源２’’を使用し、制御部５により白色光源２ａ〜２ｃと単色光源２Ｂａ〜２Ｂｃとの点灯と消灯を制御することで、照明装置１’’では、カメラのシャッタまたは絞りと同様の機構を用いることなく、導光部３に入射する白色光と単色光との割合を使用者が変更可能である。このため、照明装置１’’の色相自体も使用者が自在に変化させることができる。なお、上記した３段階以外にも、操作部６の操作により、単色光源２Ｂａ〜２Ｂｃのみを発光させたり、白色光源２ａ〜２ｃのみを発光させたり、白色光源２ａ〜２ｃと単色光源２Ｂａ〜２Ｂｃのすべてを発光させたりできるようにしてもよい。
【００４３】
図８は、時刻に応じた照明装置１’’の発光制御を説明するための表である。図８に示すように、制御部５は、白色光源２ａ〜２ｃおよび単色光源２Ｂａ〜２Ｂｃのうちで発光させるものの位置および個数を、計時部７が計時する時刻（時間帯）に応じて変化させてもよい。
【００４４】
例えば、計時部７の時刻が日中の時間帯に含まれるときには、制御部５は、単色光源２Ｂａ〜２Ｂｃのみを発光させる。これにより、導光部３は青一色になるため、青空を表現することができる。また、計時部７の時刻が夕方の時間帯になったとき（夕方１）には、制御部５は、すべての単色光源２Ｂａ〜２Ｂｃと、中央の白色光源２ｃとを発光させる。これは図３（Ａ）の場合に相当し、このとき導光部３は青味が強い色相になるが、青一色ではなく、オレンジ色への弱いグラデーションが見られる。
【００４５】
また、夕方の時間帯でさらに時間経過したとき（夕方２）には、制御部５は、外周側の単色光源２Ｂａ，２Ｂｂと、それよりも中央側に配置されている白色光源２ｂ，２ｃとを発光させる。これは図３（Ｂ）の場合に相当し、このとき導光部３では、「夕方１」のときよりもオレンジ色へのグラデーションが強くなる。また、夕方の時間帯でさらに時間経過したとき（夕方３）には、制御部５は、最外周の単色光源２Ｂａと、それよりも中央側に配置されているすべての白色光源２ａ〜２ｃとを発光させる。これは図３（Ｃ）の場合に相当し、このとき導光部３は赤味が強い色相になり、オレンジ色へのグラデーションが最も強くなる。
【００４６】
このように、白色光源２ａ〜２ｃのうちで発光するものが単色光源２Ｂａ〜２Ｂｃのうちで発光するものよりも常に中央側にあるように制御することで、夕方の空を模した青色からオレンジ色へのグラデーション状の色相を表現することができる。このため、照明装置１’’では、夕方に空の色が時刻に応じて移り変わる様子（夕焼け）を模して再現することができる。
【００４７】
なお、単色光源２Ｂａ〜２Ｂｃとしては、青色光源に限らず、複数の色の光源を用いてもよい。例えば、単色光源として青色光を出射する青色光源と紫色光を出射する紫色光源との２種類を設けた上で、制御部５は、日の出から日没までの時間帯には白色光と青色光を導光部３に入射させ、日没後から日の出までの時間帯には白色光と紫色光を導光部３に入射させてもよい。このように、夜間には導光部３を日中よりも暗い色にすることで、より詳細に空を模した色彩を表現してもよい。また、制御部５は、計時部７の時刻が朝の時間帯になったときには、図８の「夕方１」〜「夕方３」とは逆の順序で白色光源２ａ〜２ｃと単色光源２Ｂａ〜２Ｂｃの発光を切り替えて、朝に空の色が時刻に応じて移り変わる様子（朝焼け）を表現してもよい。
【００４８】
図９は、さらに別の光源２’’’の平面図である。図７の照明装置１’’では、図６の光源２’’に代えて図９の光源２’’’を使用してもよい。光源２’’’は、図６の光源２’’と同様に、導光部３に対向する面内において同心円状に配置された白色光源２ａ〜２ｆおよび単色光源２Ｂａ〜２Ｂｅで構成される。ただし、光源２’’’では、破線で示す１つの円周上で、白色光源と単色光源とが周方向に交互に配置されている点が光源２’’とは異なっている。光源２’’’のように、白色光源と単色光源とは、必ずしも別々の円周上に配置されていなくてもよく、両者が混在するように入り乱れて配置されていてもよい。
【００４９】
なお、白色光源と単色光源は、必ずしも同心円状に配置されていなくてもよく、制御部５の発光制御により導光部３で青色からオレンジ色へのグラデーションを表現できるならば、どのように配置されていてもよい。
【００５０】
上記では、白色光と単色光とを導光部３に入射させる場合の例を主に説明したが、導光部３への入射光の組合せはこれに限らず、長波長光と短波長光であってもよい。例えば、白色光の代わりに複数波長の長波長光（例えば、赤色光および黄色光）を、単色光の代わりに複数波長の短波長光（例えば、青色光および緑色光）を、それぞれ導光部３に入射させてもよい。この場合でも、導光部３の入射面側で短波長光が強く散乱され、再現したい色彩に応じて短波長光から長波長光へと色相がグラデーション状に変化する照明装置を実現することができる。
【符号の説明】
【００５１】
１，１’，１’’    照明装置
２，２ａ〜２ｆ    白色光源
２Ｂ，２Ｂａ〜２Ｂｅ    単色光源
２’，２’’，２’’’    光源
３    導光部
４，４’，４’’，４Ａ，４Ｂ，４Ｃ    カラーフィルタ
４１    開口部
４２’，４２’’    羽根部
５    制御部
６    操作部
７    計時部
【図１】
2018141840.tif 000003
【図２】
2018141840.tif 000004
【図３】
2018141840.tif 000005
【図４】
2018141840.tif 000006
【図５】
2018141840.tif 000007
【図６】
2018141840.tif 000008
【図７】
2018141840.tif 000009
【図８】
2018141840.tif 000010
【図９】
2018141840.tif 000011
【図１０】
2018141840.tif 000012